(57)【要約】
【課題】  自動連発ターゲット発射装置の提供。
【解決手段】  自動で且つ連続して複数のフライターゲットを上向きに発射でき、射撃ゲームに使用され、並びに発射されるフライターゲットは底座が四カ所で移動するため滑動式とされ、連続した急速射撃の面白さを提供する。
【選択図】        図２
0003101170.tif 000002
【実用新案登録請求の範囲】
【請求項１】
底座（Ａ）、第１駆動源（１）及び第２駆動源（２）、輪転機構（１０）、ターゲットフィードユニット（２０）、昇降ユニット（４０）、制御ユニット（５０）、タッチコントロールユニット（６０）を具え、
該底座（Ａ）は盤状を呈し、上面にリング（Ａ４）が凸設され、
該第１駆動源（１）及び第２駆動源（２）は、該底座（Ａ）上に設けられ、
該輪転機構（１０）は、リング（Ａ４）上に跨設された回転盤（１１）を具え、該回転盤（１１）の底部に歯車（１１１）が設けられ、該歯車（１１１）が歯車減速機構（Ｂ）を介して前述の第１駆動源（１）を駆動し、該回転盤（１１）の外周に異なる高さに第１ラック（１１３）、第２ラック（１１４）、第３ラック（１１５）が設けられ、二つの円弧形の上昇ガイド板（１１６Ａ）、（１１６Ｂ）が該回転盤（１１）上において対向するよう直立し、各円弧形の上昇ガイド板（１１６Ａ）、（１１６Ｂ）の上端が下から上の傾斜部とされ、該回転盤（１１）の上面に曲がった二つの駆動手段（１１７Ａ）、（１１７Ｂ）が凸設され、該回転盤（１１）の底部周辺に二つの押さえ部（１１８Ａ）、（１１８Ｂ）が下向きに凸設され、
該ターゲットフィードユニット（２０）は、該輪転機構（１０）の上部に位置し、プラットフォーム（２２）を具え、該プラットフォーム（２２）の中間に貫通孔（２３）が設けられ、該貫通孔（２３）の後方に円弧形のガイド溝（２２１）が設けられ、該プラットフォーム（２２）の上方にさらにターゲット台（２５）が架設され、該ターゲット台（２５）の左右それぞれに空洞（２６Ａ）、（２６Ｂ）が設けられ、該ターゲット台（２５）の中間にターゲット発射空間（２８）が形成され、二つの中空のターゲット筒（２９）の内部にフライターゲット（２９７）が装填され、該フライターゲット（２９７）の中心に中心孔が設けられ、該中心孔の底部に複数の係止歯（２９８）が設けられ、各ターゲット筒（２９）が該空洞（２６Ａ）、（２６Ｂ）の上方に位置し、該ターゲット筒（２９）の内部中心に貫通棒（２９６）が設けられ、該貫通棒（２９６）に各フライターゲット（２９７）が直列に接続され、ターゲット筒（２９）の外周より大きい筒座（２９１）が該ターゲット筒（２９）の底部に位置し、該筒座（２９１）の外側に枢設棒（２９２）が立設され、該枢設棒（２９２）の上下に水平に内外回転可能なストッパロッド（２９３Ａ）、（２９３Ｂ）が枢設され、各ストッパロッド（２９３Ａ）、（２９３Ｂ）の一端に外向きに凸部（２９４Ａ）、（２９４Ｂ）が設けられ、もう一端に内向きに支持板（２９５Ａ）、（２９５Ｂ）が設けられて最も下方のフライターゲット（２９７）を支持し、固定棒（１２２）が該プラットフォーム（２２）の後方に設けられてスイングアーム（１２１）及びスイング板（１２）後端に枢設され、ガイド柱（２２２）が該プラットフォーム（２２）のガイド溝（２２１）を貫通し、その上端と下端に該スイングアーム（１２１）のもう一つのスイング板（１２）の中心穿孔（１３０）が接続され、該スイング板（１２）の左右にそれぞれ軸スリーブ（１２６）が凸設されて該フライターゲット（２９７）を載置するのに供され、該軸スリーブ（１２６）の中心に貫通する嵌め孔（１２７）が設けられ、該スイングアーム（１２１）の底部が伝動歯車（１２３）の伝動を受けて左右に揺動し、該伝動歯車（１２３）が該輪転機構（１０）の第３ラック（１１５）とかみ合い、該伝動歯車（１２３）の上部に伝動盤（１２４）が枢設され、該伝動盤（１２４）の周辺に二つの盤翼（１２５）が設けられ、また、該回転盤（１１）の第３ラック（１１５）前端に制限部（１１９）が設けられ、該二つの盤翼（１２５）が該制限部（１１９）に対応し、且つ該伝動盤（１２４）の上面の周辺近くに押し棒（１２８）が凸設され、該スイングアーム（１２１）の底部に長方形の溝レール（１２９）が設けられ、該溝レール（１２９）に押し棒（１２８）がスライド自在に組み合わされ、二つの軸柱（３０Ａ）、（３０Ｂ）が該底座（Ａ）の前側左右に直立し、各軸柱（３０Ａ）、（３０Ｂ）底部に第１歯車（３１）、第２歯車（３２）が設けられてそれぞれ回転盤（１１）の第１ラック（１１３）、第２ラック（１１４）にかみ合い、各軸柱（３０Ａ）、（３０Ｂ）の上部の上下に上翼板（３３）と下翼板（３４）が設けられ、該上翼板（３３）と下翼板（３４）が各ターゲット筒（２９）の筒座（２９１）のストッパロッド（２９３Ａ）、（２９３Ｂ）の凸部（２９４Ａ）、（２９４Ｂ）に対応し、
昇降ユニット（４０）は、回転盤（１１）の中心に位置し、それは昇降台（４２）を具え、該昇降台（４２）下方に４本の嵌め管（４３）が設けられ、該嵌め管（４３）は該プラットフォーム（２２）の立棒（４１）に嵌合され、該立棒（４１）に弾性体（４４）が直列に接続され、該弾性体（４４）の上端が該プラットフォーム（２２）の下面に当接し、該弾性体（４４）の下端が該嵌め管（４３）の上に位置し、該昇降台（４２）の中心に中空のケースカバー（４６）が設けられ、該昇降台（４２）の左右に回転翼（５１）が設けられ、該回転翼（５１）の底部が該回転翼（５１）の二つの円弧形の上昇ガイド板（１１６Ａ）、（１１６Ｂ）に対応し、該昇降台（４２）の内部に該第２駆動源（２）が収容され、該第２駆動源（２）の中心軸（３）が該プラットフォーム（２２）の貫通孔（２３）を貫通し、該中心軸（３）の上部に環状に複数の歯部（４）が設けられて該フライターゲット（２９７）底部の係止歯（２９８）にかみ合い、
該制御ユニット（５０）は、該底座（Ａ）に枢設された回転翼（５１）を具え、該回転翼（５１）に第１端（５２Ａ）及び第２端（５２Ｂ）が設けられ、該第１端（５２Ａ）は回転盤（１１）の二つの駆動手段（１１７Ａ）、（１１７Ｂ）が操作されることで回転を発生し、スイングロッド（５３）はその第１端が横向きに該底座（Ａ）に枢設され、該スイングロッド（５３）は回転翼（５１）の第１端（５２Ａ）の押圧を受け、該スイングロッド（５３）の上端は中間部材（５４）で制御ロッド（５５）の底端に連接され、該制御ロッド（５５）の中間が該プラットフォーム（２２）に枢設され、その末端が該プラットフォーム（２２）の貫通孔（２３）上方に垂れ下がり、回復バネ（５７）の一端が該制御ロッド（５５）に係止され、もう一端が該プラットフォーム（２２）に係止され、
タッチコントロールユニット（６０）は、回転盤（１１）外部に位置し、該底座（Ａ）に枢設された回転手段（６２）を具え、該回転手段（６２）の外側にタッチコントロール端（６３）が設けられ、内側に接触部（６６）が設けられ、該タッチコントロール端（６３）の外側にプラスマイナス回路と接続された内導電片（６４）及び外導電片（６５）が設けられ、該接触部（６６）は該回転盤（１１）の二つの押さえ部（１１８Ａ）、（１１８Ｂ）による押動を受けることを特徴とする、自動連発ターゲット発射装置。
【請求項２】
請求項１記載の自動連発ターゲット発射装置において、第１駆動源（１）、第２駆動源（２）がモータとされ、底座（Ａ）底部前方に回転輪（７１）が枢設され、後方に横向きに輪軸（７３）が設けられ、該輪軸（７３）の左右に輪体（７２）が枢設され、該輪軸（７３）に駆動歯車（７４）に組み合わされ、該駆動歯車（７４）が歯車減速機構（Ｂ）の駆動を受け、また該底座（Ａ）に複数のサポートフレーム（２１）が設けられてプラットフォーム（２２）の架設に供され、またターゲット台（２５）の上面左右両側の空洞（２６Ａ）、（２６Ｂ）外周に限位縁（２７Ａ）、（２７Ｂ）が設けられ、各限位縁（２７Ａ）、（２７Ｂ）が筒座（２９１）を囲むよう設けられたことを特徴とする、自動連発ターゲット発射装置。
【請求項３】
請求項１記載の自動連発ターゲット発射装置において、制御ユニット（５０）の制御ロッド（５５）が二端が下向きの湾曲アームとされ、その末端に押し部（５５１）が設けられ、該制御ロッド（５５）の上方に安全キャップ（５５２）が設けられ、該安全キャップ（５５２）はターゲット発射空間（２８）の外形に対応し、また該底座（Ａ）の上方にケースカバー（Ａ１）が設けられて共同で玩具模型を形成し、該ケースカバー（Ａ１）の左右に嵌め口（Ａ２）が設けられ、該嵌め口（Ａ２）がターゲット筒（２９）の挿入に供され、中間にフライターゲット（２９７）に対応する出口（Ａ３）が設けられ、第１駆動源（１）、第２駆動源（２）に電池が接続され、第１駆動源（１）が回路により内導電片（６４）及び外導電片（６５）及び底座（Ａ）上に位置する回路駆動スイッチ（Ｄ）に接続されたことを特徴とする、自動連発ターゲット発射装置。
【考案の詳細な説明】
【技術分野】
【０００１】
本考案はターゲットを空中に発射する構造に係り、さらに詳しくは、連続して上向きにフライターゲットを発射できる射撃用のフライターゲット発射器の構造に関する。
【背景技術】
【０００２】
周知の空中発射されるフライターゲットは、手動方式で不断に空中に発射され、別の人が空中でフライターゲットを打ち落として得点とするゲーム方式とされる。人為的に発射したフライターゲットを別の人が射撃する方式は、そのターゲット発射時間と高さ制御が不安定であり、並びに一人が発射しもう一人が射撃する方式は単調すぎ、且つ打撃者が不断に連続射撃することによる刺激感を味わえない。
【考案の開示】
【考案が解決しようとする課題】
【０００３】
本考案の主要な目的は、自動連発ターゲット発射装置を提供することにあり、それは、非定点で不断に空中にフライターゲットを連続発射し、一人或いは数人の空中の射撃目標とすることができ、且つフライターゲットを所定の速度で上向きに相当な高さ投げ飛ばすことができ、傾きを発生させない装置であるものとする。
【課題を解決するための手段】
【０００４】
請求項１の考案は、底座（Ａ）、第１駆動源（１）及び第２駆動源（２）、輪転機構（１０）、ターゲットフィードユニット（２０）、昇降ユニット（４０）、制御ユニット（５０）、タッチコントロールユニット（６０）を具え、
該底座（Ａ）は盤状を呈し、上面にリング（Ａ４）が凸設され、
該第１駆動源（１）及び第２駆動源（２）は、該底座（Ａ）上に設けられ、
該輪転機構（１０）は、リング（Ａ４）上に跨設された回転盤（１１）を具え、該回転盤（１１）の底部に歯車（１１１）が設けられ、該歯車（１１１）が歯車減速機構（Ｂ）を介して前述の第１駆動源（１）を駆動し、該回転盤（１１）の外周に異なる高さに第１ラック（１１３）、第２ラック（１１４）、第３ラック（１１５）が設けられ、二つの円弧形の上昇ガイド板（１１６Ａ）、（１１６Ｂ）が該回転盤（１１）上において対向するよう直立し、各円弧形の上昇ガイド板（１１６Ａ）、（１１６Ｂ）の上端が下から上の傾斜部とされ、該回転盤（１１）の上面に曲がった二つの駆動手段（１１７Ａ）、（１１７Ｂ）が凸設され、該回転盤（１１）の底部周辺に二つの押さえ部（１１８Ａ）、（１１８Ｂ）が下向きに凸設され、
該ターゲットフィードユニット（２０）は、該輪転機構（１０）の上部に位置し、プラットフォーム（２２）を具え、該プラットフォーム（２２）の中間に貫通孔（２３）が設けられ、該貫通孔（２３）の後方に円弧形のガイド溝（２２１）が設けられ、該プラットフォーム（２２）の上方にさらにターゲット台（２５）が架設され、該ターゲット台（２５）の左右それぞれに空洞（２６Ａ）、（２６Ｂ）が設けられ、該ターゲット台（２５）の中間にターゲット発射空間（２８）が形成され、二つの中空のターゲット筒（２９）の内部にフライターゲット（２９７）が装填され、該フライターゲット（２９７）の中心に中心孔が設けられ、該中心孔の底部に複数の係止歯（２９８）が設けられ、各ターゲット筒（２９）が該空洞（２６Ａ）、（２６Ｂ）の上方に位置し、該ターゲット筒（２９）の内部中心に貫通棒（２９６）が設けられ、該貫通棒（２９６）に各フライターゲット（２９７）が直列に接続され、ターゲット筒（２９）の外周より大きい筒座（２９１）が該ターゲット筒（２９）の底部に位置し、該筒座（２９１）の外側に枢設棒（２９２）が立設され、該枢設棒（２９２）の上下に水平に内外回転可能なストッパロッド（２９３Ａ）、（２９３Ｂ）が枢設され、各ストッパロッド（２９３Ａ）、（２９３Ｂ）の一端に外向きに凸部（２９４Ａ）、（２９４Ｂ）が設けられ、もう一端に内向きに支持板（２９５Ａ）、（２９５Ｂ）が設けられて最も下方のフライターゲット（２９７）を支持し、固定棒（１２２）が該プラットフォーム（２２）の後方に設けられてスイングアーム（１２１）及びスイング板（１２）後端に枢設され、ガイド柱（２２２）が該プラットフォーム（２２）のガイド溝（２２１）を貫通し、その上端と下端に該スイングアーム（１２１）のもう一つのスイング板（１２）の中心穿孔（１３０）が接続され、該スイング板（１２）の左右にそれぞれ軸スリーブ（１２６）が凸設されて該フライターゲット（２９７）を載置するのに供され、該軸スリーブ（１２６）の中心に貫通する嵌め孔（１２７）が設けられ、該スイングアーム（１２１）の底部が伝動歯車（１２３）の伝動を受けて左右に揺動し、該伝動歯車（１２３）が該輪転機構（１０）の第３ラック（１１５）とかみ合い、該伝動歯車（１２３）の上部に伝動盤（１２４）が枢設され、該伝動盤（１２４）の周辺に二つの盤翼（１２５）が設けられ、また、該回転盤（１１）の第３ラック（１１５）前端に制限部（１１９）が設けられ、該二つの盤翼（１２５）が該制限部（１１９）に対応し、且つ該伝動盤（１２４）の上面の周辺近くに押し棒（１２８）が凸設され、該スイングアーム（１２１）の底部に長方形の溝レール（１２９）が設けられ、該溝レール（１２９）に押し棒（１２８）がスライド自在に組み合わされ、二つの軸柱（３０Ａ）、（３０Ｂ）が該底座（Ａ）の前側左右に直立し、各軸柱（３０Ａ）、（３０Ｂ）底部に第１歯車（３１）、第２歯車（３２）が設けられてそれぞれ回転盤（１１）の第１ラック（１１３）、第２ラック（１１４）にかみ合い、各軸柱（３０Ａ）、（３０Ｂ）の上部の上下に上翼板（３３）と下翼板（３４）が設けられ、該上翼板（３３）と下翼板（３４）が各ターゲット筒（２９）の筒座（２９１）のストッパロッド（２９３Ａ）、（２９３Ｂ）の凸部（２９４Ａ）、（２９４Ｂ）に対応し、
昇降ユニット（４０）は、回転盤（１１）の中心に位置し、それは昇降台（４２）を具え、該昇降台（４２）下方に４本の嵌め管（４３）が設けられ、該嵌め管（４３）は該プラットフォーム（２２）の立棒（４１）に嵌合され、該立棒（４１）に弾性体（４４）が直列に接続され、該弾性体（４４）の上端が該プラットフォーム（２２）の下面に当接し、該弾性体（４４）の下端が該嵌め管（４３）の上に位置し、該昇降台（４２）の中心に中空のケースカバー（４６）が設けられ、該昇降台（４２）の左右に回転翼（５１）が設けられ、該回転翼（５１）の底部が該回転翼（５１）の二つの円弧形の上昇ガイド板（１１６Ａ）、（１１６Ｂ）に対応し、該昇降台（４２）の内部に該第２駆動源（２）が収容され、該第２駆動源（２）の中心軸（３）が該プラットフォーム（２２）の貫通孔（２３）を貫通し、該中心軸（３）の上部に環状に複数の歯部（４）が設けられて該フライターゲット（２９７）底部の係止歯（２９８）にかみ合い、
該制御ユニット（５０）は、該底座（Ａ）に枢設された回転翼（５１）を具え、該回転翼（５１）に第１端（５２Ａ）及び第２端（５２Ｂ）が設けられ、該第１端（５２Ａ）は回転盤（１１）の二つの駆動手段（１１７Ａ）、（１１７Ｂ）が操作されることで回転を発生し、スイングロッド（５３）はその第１端が横向きに該底座（Ａ）に枢設され、該スイングロッド（５３）は回転翼（５１）の第１端（５２Ａ）の押圧を受け、該スイングロッド（５３）の上端は中間部材（５４）で制御ロッド（５５）の底端に連接され、該制御ロッド（５５）の中間が該プラットフォーム（２２）に枢設され、その末端が該プラットフォーム（２２）の貫通孔（２３）上方に垂れ下がり、回復バネ（５７）の一端が該制御ロッド（５５）に係止され、もう一端が該プラットフォーム（２２）に係止され、
タッチコントロールユニット（６０）は、回転盤（１１）外部に位置し、該底座（Ａ）に枢設された回転手段（６２）を具え、該回転手段（６２）の外側にタッチコントロール端（６３）が設けられ、内側に接触部（６６）が設けられ、該タッチコントロール端（６３）の外側にプラスマイナス回路と接続された内導電片（６４）及び外導電片（６５）が設けられ、該接触部（６６）は該回転盤（１１）の二つの押さえ部（１１８Ａ）、（１１８Ｂ）による押動を受けることを特徴とする、自動連発ターゲット発射装置としている。
請求項２の考案は、請求項１記載の自動連発ターゲット発射装置において、第１駆動源（１）、第２駆動源（２）がモータとされ、底座（Ａ）底部前方に回転輪（７１）が枢設され、後方に横向きに輪軸（７３）が設けられ、該輪軸（７３）の左右に輪体（７２）が枢設され、該輪軸（７３）に駆動歯車（７４）に組み合わされ、該駆動歯車（７４）が歯車減速機構（Ｂ）の駆動を受け、また該底座（Ａ）に複数のサポートフレーム（２１）が設けられてプラットフォーム（２２）の架設に供され、またターゲット台（２５）の上面左右両側の空洞（２６Ａ）、（２６Ｂ）外周に限位縁（２７Ａ）、（２７Ｂ）が設けられ、各限位縁（２７Ａ）、（２７Ｂ）が筒座（２９１）を囲むよう設けられたことを特徴とする、自動連発ターゲット発射装置としている。
請求項３の考案は、請求項１記載の自動連発ターゲット発射装置において、制御ユニット（５０）の制御ロッド（５５）が二端が下向きの湾曲アームとされ、その末端に押し部（５５１）が設けられ、該制御ロッド（５５）の上方に安全キャップ（５５２）が設けられ、該安全キャップ（５５２）はターゲット発射空間（２８）の外形に対応し、また該底座（Ａ）の上方にケースカバー（Ａ１）が設けられて共同で玩具模型を形成し、該ケースカバー（Ａ１）の左右に嵌め口（Ａ２）が設けられ、該嵌め口（Ａ２）がターゲット筒（２９）の挿入に供され、中間にフライターゲット（２９７）に対応する出口（Ａ３）が設けられ、第１駆動源（１）、第２駆動源（２）に電池が接続され、第１駆動源（１）が回路により内導電片（６４）及び外導電片（６５）及び底座（Ａ）上に位置する回路駆動スイッチ（Ｄ）に接続されたことを特徴とする、自動連発ターゲット発射装置としている。
【考案の効果】
【０００５】
本考案の自動連発ターゲット発射装置は、非定点で不断に空中にフライターゲットを連続発射し、一人或いは数人の空中の射撃目標とすることができ、且つフライターゲットを所定の速度で上向きに相当な高さ投げ飛ばすことができ、傾きを発生させない装置である。
【考案を実施するための最良の形態】
【０００６】
図１、２に示されるように、本考案の自動連発ターゲット発射装置は、以下を具えている。即ち、
第１駆動源（１）及び第２駆動源（２）、該第１駆動源（１）と第２駆動源（２）は盤状の底座（Ａ）上に組み付けられ、図１１に示されるように、該底座（Ａ）に上向きにリング（Ａ４）が凸設されている。
輪転機構（１０）、該輪転機構（１０）は図３に示されるように、リング（Ａ４）外周に位置し第１駆動源（１）により駆動される回転盤（１１）を具え、第１駆動源（１）は歯車減速機構（Ｂ）を介してその上部の小型歯車（Ｂ１）で回転盤（１１）下方の歯車（１１１）を回転させ、回転盤（１１）外周壁（１１２）に異なる高さに第１ラック（１１３）、第２ラック（１１４）、第３ラック（１１５）が設けられ、回転盤（１１）の上面に二つの対向する上昇ガイド板（１１６Ａ）、（１１６Ｂ）が設けられ、該二つの上昇ガイド板（１１６Ａ）、（１１６Ｂ）の上端が下から上に傾斜する傾斜部とされ、二つの曲棒状の駆動手段（１１７Ａ）、（１１７Ｂ）が回転盤（１１）の上面の二側に位置し、且つ上昇ガイド板（１１６Ａ）、（１１６Ｂ）の内環面に位置し、回転盤（１１）の底部に二つの押さえ部（１１８Ａ）、（１１８Ｂ）が設けられ、回転盤（１１）の第３ラック（１１５）の前端より制限部（１１９）が突出し、該制限部（１１９）が第３ラック（１１５）より高い。
ターゲットフィードユニット（２０）、該ターゲットフィードユニット（２０）は回転盤（１１）の上部に位置し、図１に示されるように底座（Ａ）上面に架設された複数のサポートフレーム（２１）を具え、図２に示されるように、各サポートフレーム（２１）が共同で扇形のプラットフォーム（２２）を支持し、プラットフォーム（２２）の中間に貫通孔（２３）が設けられ、該プラットフォーム（２２）の周辺にフレームロッド（２４）が設けられ、各フレームロッド（２４）が共同で上向きにターゲット台（２５）を支持し、該ターゲット台（２５）の左右側に空洞（２６Ａ）、（２６Ｂ）が設けられ、各空洞（２６Ａ）、（２６Ｂ）外周に限位縁（２７Ａ）、（２７Ｂ）が設けられ、二つの空洞（２６Ａ）、（２６Ｂ）間にターゲット発射空間（２８）が設けられている。
開口が下向きの二つの中空ターゲット筒（２９）、図４、５に示されるように、該ターゲット筒（２９）はその底部に筒座（２９１）が設けられ、各筒座（２９１）がターゲット台（２５）の左右の限位縁（２７Ａ）、（２７Ｂ）内に跨置され、筒座（２９１）外壁に上向きに枢設棒（２９２）が設けられ、該枢設棒（２９２）の上下に円弧形のストッパロッド（２９３Ａ）、（２９３Ｂ）が組み合わされ、各ストッパロッド（２９３Ａ）、（２９３Ｂ）の一端に外向きに凸部（２９４Ａ）、（２９４Ｂ）が設けられ、もう一端に内向きに突出する支持板（２９５Ａ）、（２９５Ｂ）が設けられ、貫通棒（２９６）がターゲット筒（２９）の上部中心に固定され、該貫通棒（２９６）は複数の円盤形のフライターゲット（２９７）の中心孔を貫通し、該フライターゲット（２９７）の底部中心孔周壁に環状に係止歯（２９８）が設けられている。
【０００７】
図１、３に示されるように、底座（Ａ）の前方左右にそれぞれ上向きに直立する軸柱（３０Ａ）、（３０Ｂ）が設けられ、該軸柱（３０Ａ）の下方に第１歯車（３１）が設けられ、該第１歯車（３１）は回転盤（１１）外周の第１ラック（１１３）にかみ合い、軸柱（３０Ｂ）下方に第２歯車（３２）が設けられ、該第２歯車（３２）は回転盤（１１）の第２ラック（１１４）と噛み合う。各軸柱（３０Ａ）、（３０Ｂ）の上端には図２に示されるように上翼板（３３）と下翼板（３４）が設けられ、該上翼板（３３）と下翼板（３４）は図７、８、９に示されるように該ターゲット筒（２９）の二つの凸部（２９４Ａ）、（２９４Ｂ）に対応し、該二つの凸部（２９４Ａ）、（２９４Ｂ）内部空間に弾性手段（３５Ａ）、（３５Ｂ）が挿入され、二つの凸部（２９４Ａ）、（２９４Ｂ）が上翼板（３３）と下翼板（３４）の制圧を受ける時、弾性手段（３５Ａ）、（３５Ｂ）が収縮し、並びに二つのストッパロッド（２９３Ａ）、（２９３Ｂ）を枢設棒（２９２）で回転させ、二つのストッパロッド（２９３Ａ）、（２９３Ｂ）のもう一端の水平な支持板（２９５Ａ）、（２９５Ｂ）を外向きに回して開き、二つの凸部（２９４Ａ）、（２９４Ｂ）が上翼板（３３）と下翼板（３４）の制圧より解除されて弾性手段（３５Ａ）、（３５Ｂ）が回復すると支持板（２９５Ａ）、（２９５Ｂ）が中心に向けて縮入し、最も下のフライターゲット（２９７）の底部を支持する。
【０００８】
図１０に示されるのは本考案の第２実施例であり、第１種のターゲット筒（２９）の構造とほぼ同じであるが、異なるところは、二つの凸部（２９４Ａ）、（２９４Ｂ）のもう一側にストッパロッド（２９３Ａ’）、（２９３Ｂ’）が枢設され、二つのストッパロッド（２９３Ａ）、（２９３Ａ’）の支持板（２９５Ａ）、（２９５Ａ’）或いはストッパロッド（２９３Ｂ）、（２９３Ｂ’）の支持板（２９５Ｂ）、（２９５Ｂ’）を利用し、ターゲット筒（２９）内の複数のフライターゲット（２９７）の最も下のフライターゲット（２９７）底面を支持し、平穏に支持する効果を達成しているところである。
【０００９】
該プラットフォーム（２２）の後方に水平に左右移動可能なスイング板（１２）が設けられ、さらに図１、２、及び図１４に示されるように、スイング板（１２）はプラットフォーム（２２）上面に位置し、プラットフォーム（２２）の中間に円弧形のガイド溝（２２１）が設けられ、該ガイド溝（２２１）にガイド柱（２２２）が通され、ガイド柱（２２２）の上端がスイング板（１２）の穿孔（１３０）に通された後にボルトで固定され、図１５に示されるように、ガイド柱（２２２）の底端はプラットフォーム（２２）下方に位置するスイングアーム（１２１）の一端より上向きに延伸され、スイングアーム（１２１）の別支持板（２９５Ａ）、（２９５Ｂ）はスイング板（１２）と共に固定棒（１２２）に枢設され、該固定棒（１２２）は平板Ｃより直立に延伸され、平板Ｃは歯車減速機構（Ｂ）の上面を被覆し、図３に示されるように、平板Ｃの表面に伝動歯車（１２３）と伝動盤（１２４）が枢設されている。該伝動盤（１２４）の周辺に二つの盤翼（１２５）が凸設され、各盤翼（１２５）は回転盤（１１）の第３ラック（１１５）前端第１ラック（１１３）、第２ラック（１１４）、第３ラック（１１５）前端の制限部（１１９）の推移を受けて回転し、該伝動歯車（１２３）は回転盤（１１）の第３ラック（１１５）とかみ合い駆動されて回転し、ラチェット（１３１）の一端が該平板Ｃに枢設され、該ラチェット（１３１）の別端が伝動歯車（１２３）とかみ合い、伝動歯車（１２３）の回転方向と正確な輪転を制御する。また、スイング板（１２）の前方左右に軸スリーブ（１２６）が設けられ、該軸スリーブ（１２６）の中心に嵌め孔（１２７）が設けられ、図１１のように、該嵌め孔（１２７）はその内部にフライターゲット（２９７）の環状の係止歯（２９８）を収容する。盤翼（１２５）の上面に押し棒（１２８）が設けられ、該押し棒（１２８）はスイングアーム（１２１）底部の溝レール（１２９）内をスライドしてスイングアーム（１２１）の一端に、固定棒（１２２）を中心とし、且つ押し棒（１２８）の回転を受けさせて左右にスイングさせる。ガイド柱（２２２）はガイド溝（２２１）を貫通した後、スイング板（１２）の穿孔（１３０）を通った後にボルトで固定され、スイング板（１２）はガイド柱（２２２）に伴い左右に往復揺動し、これは図１４に示されるとおりである。
【００１０】
昇降ユニット（４０）は、図１及び図１１に示されるように、回転盤（１１）の中心に位置し、該底座（Ａ）に上向きに四つの立棒（４１）が設けられ、各立棒（４１）が回転盤（１１）を貫通しプラットフォーム（２２）の下方に位置し、昇降台（４２）の四方にそれぞれ嵌め管（４３）が設けられ、各嵌め管（４３）が該立棒（４１）に嵌合され、立棒（４１）の上端に弾性体（４４）（例えばバネ）が組み合わされ、該昇降台（４２）の左右にそれぞれ回転翼（５１）が設けられ、該回転翼（５１）の外端底部が回転盤（１１）の二つの上昇ガイド板（１１６Ａ）、（１１６Ｂ）に対応し、昇降台（４２）の中心にケースカバー（４６）が設けられて第２駆動源（２）を収容し、該第２駆動源（２）の中心軸（３）がプラットフォーム（２２）の貫通孔（２３）を貫通し、且つ第２駆動源（２）の上部外周に環状に歯部（４）が設けられ、該歯部（４）がフライターゲット（２９７）の底部の係止歯（２９８）とかみ合い、フライターゲット（２９７）を駆動して回転させ、回転盤（１１）が回転してある角度となり、二つの回転翼（５１）が上昇ガイド板（１１６Ａ）、（１１６Ｂ）の支持を失うと、第２駆動源（２）が急速に下降し、その中心軸（３）を下降させフライターゲット（２９７）と結合不能とする。
【００１１】
制御ユニット（５０）は、図１、２及び図１７に示されるように、回転盤（１１）内側に設けられ、それは底座（Ａ）のリング（Ａ４）に枢設された回転翼（５１）を具え、該回転翼（５１）の第１端（５２Ａ）は回転盤（１１）の二つの湾曲する駆動手段（１１７Ａ）、（１１７Ｂ）に対応し、スイングロッド（５３）の底端が横向きに底座（Ａ）のリング（Ａ４）内に枢設され、スイングロッド（５３）の内側が回転翼（５１）の第２端（５２Ｂ）に当接し、スイングロッド（５３）の上端が中間部材（５４）の下端に枢設され、該中間部材（５４）の上端が制御ロッド（５５）の底端に枢設され、制御ロッド（５５）の左右に外向きに延伸された回転軸（５６）が設けられ、この二つの回転軸（５６）が該プラットフォーム（２２）の前方の左右の枢設孔（２２３）内に枢設され、制御ロッド（５５）は下向きの湾曲アームとされ、その端部が下向きに垂れ下がり押し部（５５１）が設けられ、該押し部（５５１）が下向きにプラットフォーム（２２）の中間貫通孔（２３）に対応し、且つ制御ロッド（５５）の上方に安全キャップ（５５２）が設けられ、制御ロッド（５５）の外側に回復バネ（５７）が係止され、回復バネ（５７）のもう一端がプラットフォーム（２２）の底部に係止され、駆動手段（１１７Ａ）或いは（１１７Ｂ）が回転盤（１１）の回転に伴い、回転翼（５１）の第１端（５２Ａ）を内向きに駆動し、第２端（５２Ｂ）が外向きに回転してスイングロッド（５３）を押動せしめ、スイングロッド（５３）に枢設された中間部材（５４）を真っ直ぐに伸ばし（図１８）、制御ロッド（５５）が回転軸（５６）を回転中心とし、制御ロッド（５５）の押し部（５５１）をプラットフォーム（２２）上のフライターゲット（２９７）の中心に向けて下ろし、フライターゲット（２９７）が第２駆動源（２）の中心軸（３）の駆動を受けて回転する時に上向きに飛びだすのを防止する。
【００１２】
タッチコントロールユニット（６０）は、図１、２に示されるように、回転盤（１１）の外周に位置し、それは底座（Ａ）上方に直立する柱体（６１）を具え、該柱体（６１）に回転手段（６２）が枢設され、該回転手段（６２）の外側に下向きに延伸されたタッチコントロール端（６３）が設けられ、該タッチコントロール端（６３）の外側にプラス回路、マイナス回路と接続された内導電片（６４）及び外導電片（６５）が設けられ、該回転手段（６２）の内側に接触部（６６）が設けられ、該接触部（６６）が回転盤（１１）底部外周の二つの押さえ部（１１８Ａ）、（１１８Ｂ）に押動させられ、接触部（６６）が二つの押さえ部（１１８Ａ）、（１１８Ｂ）により押動させられる時、内導電片（６４）及び外導電片（６５）が接触して回路を形成して第２駆動源（２）のモータを起動する。
【００１３】
移動機構（７０）は底座（Ａ）の下面に枢設され、図１に示されるように、底座（Ａ）を駆動して移動させることができ、それは、回転輪（７１）を具え、該回転輪（７１）は底座（Ａ）前方底部に枢設され、二つの輪体（７２）が底座（Ａ）後方左右に位置し、該二つの輪体（７２）の中間が輪軸（７３）で連接され、該輪軸（７３）に駆動歯車（７４）が固定され、該駆動歯車（７４）が歯車減速機構（Ｂ）に接続されて、輪軸（７３）を駆動して回転させてこれにより二つの輪体（７２）を回転させ、輪軸（７３）が駆動されることで全体の底座（Ａ）が四方に移動可能とされる。
【００１４】
底座（Ａ）にはケースカバー（Ａ１）が組み合わされて共同で飛行機玩具造形を形成し、図１９に示されるようであり、ケースカバー（Ａ１）は底座（Ａ）の上方に閉じ合わされ、ケースカバー（Ａ１）の左右に嵌め口（Ａ２）が設けられてターゲット筒（２９）の挿入に供され、中間にフライターゲット（２９７）の上昇に供される出口（Ａ３）が設けられ、第１駆動源（１）、第２駆動源（２）は回路で電源電池に接続され、一方で第１駆動源（１）が歯車減速機構（Ｂ）を駆動し、第２駆動源（２）が直接その中心軸（３）を駆動して回転させてフライターゲット（２９７）を駆動して回転させる。且つ回路は第１駆動源（１）より内導電片（６４）及び外導電片（６５）の接触導通を通して第２駆動源（２）を駆動して中心軸（３）を回転させ、回路は並びに回路起動スイッチ（Ｄ）に接続されて、該回路起動スイッチ（Ｄ）は底座（Ａ）の底部に位置し人の手でオンされる。
【００１５】
以上の構造により、図１、３に示されるように、遊ぶ時には、手で回路起動スイッチ（Ｄ）をオンすると、回転盤（１１）底部の歯車（１１１）が歯車減速機構（Ｂ）の駆動を受けて回転し、回転盤（１１）の第１ラック（１１３）が軸柱（３０Ａ）の第１歯車（３１）とかみ合い、軸柱（３０Ａ）が駆動されて回転してその上部の上翼板（３３）と下翼板（３４）を同期に回転させ、図８、９のとおりであり、上翼板（３３）はターゲット筒（２９）のストッパロッド（２９３Ａ）の凸部（２９４Ａ）を駆動して内縮させ、別端の複数のフライターゲット（２９７）を支持する支持板（２９５Ａ）を外に移動させ、ターゲット筒（２９）内のフライターゲット（２９７）を下向きに下ろすが、最後の一つのフライターゲット（２９７）はストッパロッド（２９３Ａ）下方の支持板（２９５Ａ）により支持される。軸柱（３０Ａ）の下翼板（３４）が回転し、下翼板（３４）が筒座（２９１）外壁の凸部（２９４Ｂ）を押してそれを内縮させる時、支持板（２９５Ｂ）が反対方向に外向きに移動し最後のフライターゲット（２９７）をプラットフォーム（２２）上方のスイング板（１２）の左側に落とし、且つフライターゲット（２９７）底部の環状の係止歯（２９８）がちょうど軸スリーブ（１２６）の嵌め孔（１２７）内に嵌入し、第２駆動源（２）の中心軸（３）が上昇するのを待ち、中心軸（３）の上部歯部（４）とかみ合い、駆動されて回転する。これは図１１から図１３を参照されたい。
【００１６】
同様に、回転盤（１１）の第２ラック（１１４）が軸柱（３０Ｂ）の第２歯車（３２）と噛み合う時、軸柱（３０Ｂ）上方の上翼板（３３）と下翼板（３４）はストッパロッド（２９３Ａ）、（２９３Ｂ）を制御して作動させ、右側のターゲット筒（２９）の最も下のフライターゲット（２９７）をスイング板（１２）右側の軸スリーブ（１２６）の嵌め孔（１２７）内に落とす。スイング板（１２）が右にスイングして右側のターゲット筒（２９）のフライターゲット（２９７）を受け取り、このとき、スイング板（１２）の左側の軸スリーブ（１２６）はちょうどフライターゲット（２９７）を受け取りターゲット発射空間（２８）の中心に到り、これは図１１に示されるようであり、第２駆動源（２）の中心軸（３）とかみ合い、駆動されて回転し、これは図１２に示されるようであり、フライターゲット（２９７）が図１３のように上向きに飛びだした後、スイング板（１２）が左に移動し、スイング板（１２）の右側の軸スリーブ（１２６）が右側のターゲット筒（２９）下のフライターゲット（２９７）を受け取り、且つターゲット台（２５）のターゲット発射空間（２８）中間部分に至り、さらに第２駆動源（２）の中心軸（３）が上昇し、軸スリーブ（１２６）上のフライターゲット（２９７）を駆動し回転させる。
【００１７】
スイング板（１２）下方の伝動歯車（１２３）は、回転盤（１１）の第３ラック（１１５）とかみ合い駆動されて回転し、これにより伝動盤（１２４）を駆動し回転させ、その上部の押し棒（１２８）がスイングアーム（１２１）を押動して左右に移動させ、スイングアーム（１２１）がガイド柱（２２２）によりスイング板（１２）に固定され、スイング板（１２）を同期して左右にスイングさせ、ガイド柱（２２２）がガイド溝（２２１）の左側終点に到る時、スイング板（１２）の右側の軸スリーブ（１２６）がフライターゲット（２９７）を伴いプラットフォーム（２２）の貫通孔（２３）の中心に至り（図１１）、第２駆動源（２）が上昇して中心軸（３）とかみ合うことで駆動される。また、スイングアーム（１２１）の左右移動のオンオフ制御を所定の正確度とし、さらにスイング板（１２）が左右で支持するフライターゲット（２９７）の時間及び位置を適当に制御するため、毎回第３ラック（１１５）と伝動歯車（１２３）が噛み合う時、第３ラック（１１５）前端に位置する制限部（１１９）はさきに盤翼（１２５）に接触し、先に伝動歯車（１２３）の位置を校正し、第３ラック（１１５）が毎回伝動歯車（１２３）と一定の歯の位置で噛み合うようにしている。
【００１８】
また、この時、回転盤（１１）の上方の二つの上昇ガイド板（１１６Ａ）、（１１６Ｂ）は回転して昇降ユニット（４０）の左右の各回転翼（４５）部分に至り、図１２に示されるようであり、回転翼（４５）が上昇ガイド板（１１６Ａ）、（１１６Ｂ）の前端の傾斜部に沿って上に押し上げられ、立棒（４１）に組み合わされた各弾性体（４４）が嵌め管（４３）の上昇により圧縮され、第２駆動源（２）の中心軸（３）が同時に上昇して中心軸（３）上端の歯部（４）をフライターゲット（２９７）底部の係止歯（２９８）に嵌め合わせ、中心軸（３）の歯部（４）とフライターゲット（２９７）の係止歯（２９８）が組み合わされた後、回転盤（１１）底部の押さえ部（１１８Ａ）前端がタッチコントロール端（６３）の回転手段（６２）の内側の接触部（６６）に既に接触し、回転手段（６２）外側のタッチコントロール端（６３）を外向きに回転させて内導電片（６４）を外導電片（６５）に接触させ、通電回路を形成し、第２駆動源（２）を起動し、第２駆動源（２）の中心軸（３）を急速に回転させ、並びにフライターゲット（２９７）を駆動し回転させ、急速回転により上向きに飛びだす力を発生させる。
【００１９】
このほか、図１８に示されるように、フライターゲット（２９７）が回転前に、回転盤（１１）の上面の駆動手段（１１７Ａ）は、回転盤（１１）の回転に伴い制御ユニット（５０）の回転翼（５１）を押し上げ、回転翼（５１）の第２端（５２Ｂ）を時計回り方向に回転させてスイングロッド（５３）の上端を外向きに制圧し、中間部材（５４）を回転させて中間部材（５４）の上方に枢設された制御ロッド（５５）を下垂させ、制御ロッド（５５）の押し部（５５１）がフライターゲット（２９７）の中心上方に位置するようにし、フライターゲット（２９７）が急速回転を達成する前に飛び出して飛び出し高さが不十分となる欠点を防止し、また、フライターゲット（２９７）と第２駆動源（２）の中間部材（５４）の噛み合わせが不完全となり、斜めに飛ぶ状況が発生するのを防止する。
【００２０】
駆動手段（１１７Ａ）が回転して回転翼（５１）の第１端（５２Ａ）より離れると、回転翼（５１）の第２端（５２Ｂ）が押圧力を失い、回復バネ（５７）が即刻原形に回復し、急速に制御ロッド（５５）をもとの位置に引き戻し、一端制御ロッド（５５）がフライターゲット（２９７）の上方より離れると、フライターゲット（２９７）は制圧を失い即刻上向きに上昇し、高速で天空に飛び出す。フライターゲット（２９７）が飛び出す前に、回転盤（１１）の回転により二つの上昇ガイド板（１１６Ａ）、（１１６Ｂ）が二つの回転翼（４５）より離れる時、二つの回転翼（４５）と昇降台（４２）は急速に落下し、また弾性体（４４）の回復力により嵌め管（４３）が押し下げられ、これにより第２駆動源（２）の中心軸（３）が迅速に下向きに縮みフライターゲット（２９７）より離脱する。この動作は制御ロッド（５５）がもとの位置に戻る前、即ちフライターゲット（２９７）が飛びだす前に、フライターゲット（２９７）が飛びだす瞬間に動かされて直線飛行できなくなるのを防止する。
【００２１】
スイング板（１２）の左側の軸スリーブ（１２６）の嵌め孔（１２７）に左側ターゲット筒（２９）下方のフライターゲット（２９７）が位置し、且つスイング板（１２）がプラットフォーム（２２）の貫通孔（２３）中心にある時、回転盤（１１）の駆動手段（１１７Ｂ）はまた回転して制御ユニット（５０）の回転翼（５１）の第１端（５２Ａ）に至り、さらに制御ロッド（５５）を駆動してその押し部（５５１）をフライターゲット（２９７）の中心上方に位置させる。スイング板（１２）の一側の軸スリーブ（１２６）の嵌め孔（１２７）がプラットフォーム（２２）の中間貫通孔（２３）に位置し（図１２）、嵌め孔（１２７）上のフライターゲット（２９７）が第２駆動源（２）の中心軸（３）に駆動されて回転を発生する時、スイング板（１２）のもう一側の軸スリーブ（１２６）の嵌め孔（１２７）がちょうどターゲット台（２５）側方に位置し、軸柱（３０Ａ）が回転してその上部の下翼板（３４）が回転してフライターゲット（２９７）を落下させ、前のフライターゲット（２９７）が射出後に、スイング板（１２）が折り返しもとの位置に戻り後のフライターゲット（２９７）を駆動してプラットフォーム（２２）中間貫通孔（２３）上面に至り（図１３）、さらに第２駆動源（２）の二つの回転翼（４５）が回転盤（１１）の二つの上昇ガイド板（１１６Ａ）、（１１６Ｂ）に押し上げられ、第２駆動源（２）の中心軸（３）が後のフライターゲット（２９７）の底部の係止歯（２９８）と噛み合い、重複して次のフライターゲット（２９７）を上昇させる。
【００２２】
平時に子供が手をターゲット台（２５）の下方に伸ばすのを防止し、また不注意から電源を起動するのを防止するため、制御ロッド（５５）の下方には安全キャップ（５５２）が設けられ、図１９に示されるように、該ターゲット発射空間（２８）を封じている。
【００２３】
このほか、第３ラック（１１５）が毎回正確に伝動歯車（１２３）に接続できるよう、伝動歯車（１２３）が第３ラック（１１５）と噛み合う前に、第３ラック（１１５）の前端の制限部（１１９）が予め伝動盤（１２４）外側の盤翼（１２５）に当接し、伝動盤（１２４）が伝動歯車（１２３）を駆動して同期に回転し、これにより伝動歯車（１２３）の接続が正確となる。
【００２４】
本考案を移動回転可能な連続発射ターゲットマシンとするため、第１駆動源（１）の起動時には底座（Ａ）下方左右の二つの輪体（７２）が共に回転し、並びに回転輪（７１）が共に回転し、全体の底座（Ａ）が移動し、フライターゲット（２９７）が非定点式で上向きに射出される。
【００２５】
綜合すると、本考案は自動で且つ連続して複数のフライターゲットを上向きに発射でき、射撃ゲームに使用され、並びに発射されるフライターゲット（２９７）は底座（Ａ）が四カ所で移動するため滑動式とされ、連続した急速射撃の面白さを提供する。
【図面の簡単な説明】
【００２６】
【図１】本考案の立体系統図である。
【図２】本考案の立体系統図である。
【図３】本考案の回転盤平面図である。
【図４】本考案のターゲット筒断面動作図である。
【図５】本考案のターゲット筒断面動作図である。
【図６】本考案のターゲット筒断面動作図である。
【図７】本考案のターゲット筒の筒座の立体詳図である。
【図８】本考案のターゲット筒の筒座横向き断面動作図である。
【図９】本考案のターゲット筒の筒座横向き断面動作図である。
【図１０】本考案のターゲット筒の筒座の第２実施例の断面図である。
【図１１】本考案のターゲットフィード動作表示図である。
【図１２】本考案のターゲットフィード動作表示図である。
【図１３】本考案のターゲットフィード動作表示図である。
【図１４】本考案のターゲットフィードユニットの平面動作図である。
【図１５】図１４のＡ−Ａ部分断面図である。
【図１６】本考案のターゲットフィードユニットのもう一つの平面動作図である。
【図１７】本考案の制御ユニットの動作表示図である。
【図１８】本考案の制御ユニットの動作表示図である。
【図１９】本考案の組み合わせ立体図である。
【符号の説明】
【００２７】
（Ａ）底座
（１）第１駆動源
（２）第２駆動源
（４）歯部
（１０）輪転機構
（１１）回転盤
（１１１）歯車
（１１３）第１ラック
（１１４）第２ラック
（１１５）第３ラック
（１１６Ａ）、（１１６Ｂ）上昇ガイド板
（１１７Ａ）、（１１７Ｂ）駆動手段
（１１８Ａ）、（１１８Ｂ）押し部
（１１９）制限部
（１２）スイング板
（１２１）スイングアーム
（１２２）固定棒
（１２３）伝動歯車
（１２４）伝動盤
（１２５）盤翼
（１２６）軸スリーブ
（１２７）嵌め孔
（１２８）押し棒
（１２９）溝レール
（１３０）中心穿孔
（２０）ターゲットフィードユニット
（２１）サポートフレーム
（２２）プラットフォーム
（２２１）ガイド溝
（２２２）ガイド柱
（２３）貫通孔
（２５）ターゲット台
（２６Ａ）、（２６Ｂ）空洞
（２８）ターゲット発射空間
（２９）ターゲット筒
（２９１）筒座
（２９２）枢設棒
（２９３Ａ）、（２９３Ｂ）ストッパロッド
（２９４Ａ）、（２９４Ｂ）凸部
（２９５Ａ）、（２９５Ｂ）支持板
（２９６）貫通棒
（２９７）フライターゲット
（２９８）係止歯
（３０Ａ）、（３０Ｂ）軸柱
（３１）第１歯車
（３２）第２歯車
（３３）上翼板
（３４）下翼板
（４０）昇降ユニット
（４２）昇降台
（４３）嵌め管
（４４）弾性体
（４６）ケースカバー
（５１）回転翼
（５０）制御ユニット
（５２Ａ）第１端
（５２Ｂ）第２端
（５４）中間部材
（５５）制御ロッド
（５５１）押し部
（５５２）安全キャップ
（５７）回復バネ
（６０）タッチコントロールユニット
（６２）回転手段
（６３）タッチコントロール端
（６４）内導電片
（６５）外導電片
（６６）接触部
（７０）移動機構
（７１）回転輪
（７３）輪軸
（７２）輪体
（７４）駆動歯車
（２７Ａ）、（２７Ｂ）限位縁
（Ｂ）歯車減速機構
（Ａ１）ケースカバー
（Ａ２）嵌め口
（Ａ３）出口
（Ａ４）リング
（Ｄ）回路駆動スイッチ
【図１】
0003101170.tif 000003
【図２】
0003101170.tif 000004
【図３】
0003101170.tif 000005
【図４】
0003101170.tif 000006
【図５】
0003101170.tif 000007
【図６】
0003101170.tif 000008
【図７】
0003101170.tif 000009
【図８】
0003101170.tif 000010
【図９】
0003101170.tif 000011
【図１０】
0003101170.tif 000012
【図１１】
0003101170.tif 000013
【図１２】
0003101170.tif 000014
【図１３】
0003101170.tif 000015
【図１４】
0003101170.tif 000016
【図１５】
0003101170.tif 000017
【図１６】
0003101170.tif 000018
【図１７】
0003101170.tif 000019
【図１８】
0003101170.tif 000020
【図１９】
0003101170.tif 000021